(57)【要約】【課題】この発明は、２枚目以降の計数結果記録媒体を発行させるための操作を忘れたり、２枚目以降の計数結果記録媒体を取り忘れたりするのを防止することができる計数結果記録媒体発行システムを提供することを目的とする。【解決手段】複数種類の遊技媒体に応じた複数枚の計数結果記録媒体を前記記録媒体発行手段が発行する場合において、前記操作手段に対する発行操作に基づいて前記記録媒体発行手段から１枚分の計数結果記録媒体が発行されたときであって、発行されるべき全ての計数結果記録媒体の発行が完了していないときには、次に発行されるべき計数結果記録媒体を発行させるための発行操作を促すための画面を表示させる。【選択図】図８
2010104684.tif 000002
【特許請求の範囲】
【請求項１】
複数種類の遊技媒体が投入された場合に、遊技媒体の種類毎に遊技媒体数を計数することが可能な計数手段、
遊技媒体の種類毎の計数結果に基づいて、遊技媒体の種類毎に、その種類および計数結果を含む情報が記録された計数結果記録媒体を１枚ずつ発行するための記録媒体発行手段、
前記記録媒体発行手段から計数結果記録媒体を１枚ずつ発行させるための操作手段、ならびに
複数種類の遊技媒体に応じた複数枚の計数結果記録媒体を前記記録媒体発行手段が発行する場合において、前記操作手段に対する発行操作に基づいて前記記録媒体発行手段から１枚分の計数結果記録媒体が発行されたときであって、発行されるべき全ての計数結果記録媒体の発行が完了していないときには、次に発行されるべき計数結果記録媒体を発行させるための発行操作を促すための画面を表示させる表示手段、
を備えていることを特徴とする計数結果記録媒体発行システム。
【請求項２】
複数種類の遊技媒体が投入された場合に、遊技媒体の種類毎に遊技媒体数を計数することが可能な計数手段、
遊技媒体の種類毎の計数結果に基づいて、遊技媒体の種類毎に、その種類および計数結果を含む情報が記録された計数結果記録媒体を１枚ずつ発行するための記録媒体発行手段、
前記記録媒体発行手段から発行された計数結果記録媒体が抜き取られたことを検知するための抜取検知手段、ならびに
複数種類の遊技媒体に応じた複数枚の計数結果記録媒体を前記記録媒体発行手段が発行する場合において、前記記録媒体発行手段から１枚分の計数結果記録媒体が発行されかつ当該計数結果記録媒体が抜き取られたことが抜取検知手段によって検知されたときであって、発行されるべき全ての計数結果記録媒体の発行が完了していないときには、次に発行されるべき計数結果記録媒体を前記記録媒体発行手段から発行させる手段、
を備えていることを特徴とする計数結果記録媒体発行システム。
【請求項３】
複数種類の遊技媒体に応じた複数枚の計数結果記録媒体を前記記録媒体発行手段が発行する場合において、前記記録媒体発行手段から１枚目の計数結果記録媒体が発行されてから最後の計数結果記録媒体が発行されるまでの間においては、前記計数手段による計数動作を禁止させる手段を備えていることを特徴とする請求項１または２に記載の計数結果記録媒体発行システム。
【請求項４】
前記記録媒体発行手段は、複数種類の遊技媒体に応じた複数枚の計数結果記録媒体を発行する場合には、計数結果の多い方から順に計数結果記録媒体を発行させることを特徴とする請求項１〜３に記載の計数結果記録媒体発行システム。
【請求項５】
前記記録媒体発行手段は、複数種類の遊技媒体に応じた複数枚の計数結果記録媒体を発行する場合には、遊技媒体種類毎の景品交換レートおよび計数結果から算出される獲得価値の高い方から順に計数結果記録媒体を発行させることを特徴とする請求項１〜３に記載の計数結果記録媒体発行システム。
【請求項６】
前記記録媒体発行手段から複数種類の遊技媒体に応じた複数枚の計数結果記録媒体が発行される場合には、これら複数枚の計数結果記録媒体を関連付けるための処理を行なう関連付け手段を備えていることを特徴とする請求項１〜５に記載の計数結果記録媒体発行システム。
【請求項７】
前記関連付け手段は、前記複数枚の計数結果記録媒体に、これらの計数結果記録媒体が関連していることを表すための情報を印字するものであることを特徴とする請求項６に記載の計数結果記録媒体発行システム。
【請求項８】
請求項６に記載の計数結果記録媒体発行システムにはデータ管理装置が接続されており、前記関連付け手段は、前記複数枚の計数結果記録媒体に関する情報とそれらの計数結果記録媒体が互いに関連していることを表す情報とを前記データ管理装置に送ることにより、前記データ管理装置側に前記複数枚の計数結果記録媒体が互いに関連していることを記憶させることを特徴とする請求項６に記載の計数結果記録媒体発行システム。
【発明の詳細な説明】
【技術分野】
【０００１】
この発明は、遊技客がパチスロ機で獲得したメダル数を記録したレシート等の記録媒体を発行するための計数結果記録媒体発行システムに関する。
【背景技術】
【０００２】
現在、メダルを遊技媒体として利用するパチスロ機として、直径２５ｍｍのメダル（以下、φ２５メダルという）を利用するパチスロ機と、直径３０ｍｍのメダル（以下、φ３０メダルという）を利用するパチスロ機とが存在している。このように利用するメダルの直径が異なる２種類のパチスロ機が設置された遊技施設では、φ２５メダルを計数するためのφ２５メダル専用のメダル計数機と、φ３０メダルを計数するためのφ３０メダル専用のメダル計数機とをそれぞれ設置している。
【０００３】
このような遊技施設においては、φ２５メダルはφ２５メダル専用のメダル計数機によって、φ３０メダルはφ３０メダル専用のメダル計数機によって、計数を行なわなければならない。このため、２種類のメダルを保有している遊技客は、それぞれの種類のメダルを、その種類に対応した専用のメダル計数機で計数させなければならず、面倒であった。      
【０００４】
また、１つのメダル計数機に２種類のメダルが混在して投入されるおそれがある。このようなことが起こると、メダル計数機は計数動作を行なえないエラー状態となる場合がある。メダル計数機がエラー状態となると、エラー状態解除のために投入メダルを全て取り除かなければならず、従業員に負担をかけるとともに、遊技客を待たせることになる。
【特許文献１】特開平９−３５１０７号公報
【特許文献２】特開平９−２９９６０４号公報
【特許文献３】特開２００２−１７７６２６号公報
【発明の開示】
【発明が解決しようとする課題】
【０００５】
本出願人は、上述したような問題を解決するために、φ２５メダルとφ３０メダルとを自動的に判別して、それぞれのメダルの枚数を１台で計数することができるメダル計数機を開発した。このような複数種類のメダルの計数を行なえるメダル計数機を用いた場合、メダル計数機に接続されるレシート発行機としては、メダル種類毎にレシートを発行するものが想定される。なお、この場合、各レシートには、メダル種類、計数結果等が記録される。
【０００６】
例えば、φ２５メダルとφ３０メダルの２種類のメダルがメダル計数機に投入され、メダル種類毎にそれらの枚数が計数され、メダル種類毎の計数結果がレシート発行機に送られた場合において、レシート発行機の発券ボタン（レシート発行ボタン）が押されると、一方のメダルに対応するレシートが発行され、この後に再度、発券ボタンが押された場合に、他方のメダルに対応するレシートが発行されるようにすると、２枚目のレシートを発行させるためのボタン操作を忘れたり、２枚目のレシートを取り忘れたりする可能性がある。
【０００７】
この発明は、複数種類の遊技媒体毎に計数結果等を記録した複数枚の計数結果記録媒体を発行させる計数結果記録媒体発行システムにおいて、２枚目以降の計数結果記録媒体を発行させるための操作を忘れたり、２枚目以降の計数結果記録媒体を取り忘れたりするのを防止することができる計数結果記録媒体発行システムを提供することを目的とする。
【課題を解決するための手段】
【０００８】
請求項１に記載の発明は、複数種類の遊技媒体が投入された場合に、遊技媒体の種類毎に遊技媒体数を計数することが可能な計数手段、遊技媒体の種類毎の計数結果に基づいて、遊技媒体の種類毎に、その種類および計数結果を含む情報が記録された計数結果記録媒体を１枚ずつ発行するための記録媒体発行手段、前記記録媒体発行手段から計数結果記録媒体を１枚ずつ発行させるための操作手段、ならびに複数種類の遊技媒体に応じた複数枚の計数結果記録媒体を前記記録媒体発行手段が発行する場合において、前記操作手段に対する発行操作に基づいて前記記録媒体発行手段から１枚分の計数結果記録媒体が発行されたときであって、発行されるべき全ての計数結果記録媒体の発行が完了していないときには、次に発行されるべき計数結果記録媒体を発行させるための発行操作を促すための画面を表示させる表示手段を備えていることを特徴とする。
【０００９】
請求項２に記載の発明は、複数種類の遊技媒体が投入された場合に、遊技媒体の種類毎に遊技媒体数を計数することが可能な計数手段、遊技媒体の種類毎の計数結果に基づいて、遊技媒体の種類毎に、その種類および計数結果を含む情報が記録された計数結果記録媒体を１枚ずつ発行するための記録媒体発行手段、前記記録媒体発行手段から発行された計数結果記録媒体が抜き取られたことを検知するための抜取検知手段、ならびに複数種類の遊技媒体に応じた複数枚の計数結果記録媒体を前記記録媒体発行手段が発行する場合において、前記記録媒体発行手段から１枚分の計数結果記録媒体が発行されかつ当該計数結果記録媒体が抜き取られたことが抜取検知手段によって検知されたときであって、発行されるべき全ての計数結果記録媒体の発行が完了していないときには、次に発行されるべき計数結果記録媒体を前記記録媒体発行手段から発行させる手段を備えていることを特徴とする。
【００１０】
請求項３に記載の発明は、請求項１または２に記載の発明において、複数種類の遊技媒体に応じた複数枚の計数結果記録媒体を前記記録媒体発行手段が発行する場合において、前記記録媒体発行手段から１枚目の計数結果記録媒体が発行されてから最後の計数結果記録媒体が発行されるまでの間においては、前記計数手段による計数動作を禁止させる手段を備えていることを特徴とする。
【００１１】
請求項４に記載の発明は、請求項１〜３に記載の発明において、前記記録媒体発行手段は、複数種類の遊技媒体に応じた複数枚の計数結果記録媒体を発行する場合には、計数結果の多い方から順に計数結果記録媒体を発行させることを特徴とする。
【００１２】
請求項５に記載の発明は、請求項１〜３に記載の発明において、前記記録媒体発行手段は、複数種類の遊技媒体に応じた複数枚の計数結果記録媒体を発行する場合には、遊技媒体種類毎の景品交換レートおよび計数結果から算出される獲得価値の高い方から順に計数結果記録媒体を発行させることを特徴とする。
【００１３】
請求項６に記載の発明は、請求項１〜５に記載の発明において、前記記録媒体発行手段から複数種類の遊技媒体に応じた複数枚の計数結果記録媒体が発行される場合には、これら複数枚の計数結果記録媒体を関連付けるための処理を行なう関連付け手段を備えていることを特徴とする。
【００１４】
請求項７に記載の発明は、請求項６に記載の発明において、前記関連付け手段は、前記複数枚の計数結果記録媒体に、これらの計数結果記録媒体が関連していることを表すための情報を印字するものであることを特徴とする。
【００１５】
請求項８に記載の発明は、請求項６に記載の発明において、計数結果記録媒体発行システムにはデータ管理装置が接続されており、前記関連付け手段は、前記複数枚の計数結果記録媒体に関する情報とそれらの計数結果記録媒体が互いに関連していることを表す情報とを前記データ管理装置に送ることにより、前記データ管理装置側に前記複数枚の計数結果記録媒体が互いに関連していることを記憶させることを特徴とする。
【発明の効果】
【００１６】
請求項１に記載の発明によれば、２枚目以降の計数結果記録媒体を発行させるための操作を忘れたり、２枚目以降の計数結果記録媒体を取り忘れたりするのを防止することができるようになる。
【００１７】
請求項２に記載の発明によれば、２枚目以降の計数結果記録媒体の取り忘れを防止できる。
【００１８】
請求項３に記載の発明によれば、発行されるべき全ての計数結果記録媒体が発行されるまでは計数手段による計数動作が禁止されるので、発行されるべき全てのレシートが発行される前に、他の遊技客が獲得した記録媒体の計数が開始されることを防止できる。このため、従業員による計数業務が円滑に行なえる。
【００１９】
請求項４に記載の発明によれば、計数結果の多い方から順に計数結果記録媒体が発行されるので、２枚目以降の計数結果記録媒体を取り忘れた場合に、遊技客の損失を低く抑えることが可能となる。
【００２０】
請求項５に記載の発明によれば、獲得価値の高い方から順に計数結果記録媒体が発行されるので、２枚目以降の計数結果記録媒体を取り忘れた場合に、遊技客の損失を低く抑えることが可能となる。
【００２１】
請求項６〜８に記載の発明によれば、複数枚の計数結果記録媒体が発行された場合に、これらの計数媒体記録媒体が関連付けられるので、景品交換等を行なう際に、これらのうちの１枚の計数媒体記録媒体から、その計数媒体記録媒体と関連して発行された他の計数媒体記録媒体が存在することを認識することが可能となる。
【発明を実施するための最良の形態】
【００２２】
以下、図面を参照して、この発明の実施の形態について説明する。
【００２３】
〔１〕メダル計数管理システムの構成
図１は、遊技施設内に設けられたメダル計数管理システムの構成を示している。
メダル計数管理システムは、メダル計数機１００と、レシート発行機２００と、景品管理機３００と、ターミナル・コントローラ（データ管理装置）４００とを備えている。このうち、メダル計数機１００とレシート発行機２００とによってレシート発行システム（計数結果記録媒体発行システム）が構成されている。メダル計数機１００とレシート発行機２００は、遊技施設内の所要箇所に設置されている。景品管理機３００は、遊技施設内の景品カウンタに設置されている。ターミナル・コントローラ４００は、遊技施設内の事務所に設置されている。
【００２４】
メダル計数機１００は、遊技客がパチスロ機で獲得したメダルを計数する。メダル計数機１００は、通常は、遊技客による不正を防止するために従業員によって操作される。この遊技施設では、パチスロ機として、直径２５ｍｍのメダル（以下、φ２５メダルという）５１を利用するパチスロ機と、直径３０ｍｍのメダル（以下、φ３０メダルという）５２を利用するパチスロ機との両方が設置されている。このメダル計数機２００は、φ２５メダル５１とφ３０メダル５２とを自動的に判別して、それぞれのメダルの枚数を１台で計数する機能（混合計数機能）を備えている。メダル計数機１００には、レシート発行機２００が接続されている。
【００２５】
レシート発行機２００は、メダル計数機１００から与えられるメダル計数値を含む情報を記録したレシートを発行する。メダル計数機１００の混合計数機能によって２種類のメダルの計数が同時に行なわれた場合には、レシート発行機２００は２種類のメダル５１、５２毎にメダルの種類および計数結果を含む情報を記録した２枚のレシート６１、６２を発行する。
【００２６】
図２は、２種類のメダルに対応したレシートの具体例を示している。
各レシート６１、６２には、遊技施設の店名（パーラーＡＢＣ）、レシート発行年月日、レシート発行機番号（号機番号）、レシート番号、メダルの種類を示す記号（”φ２５”または”φ３０”）およびメダル計数結果が遊技客および従業員に判読可能に印字されているとともに、レシート発行年月日、レシート発行機番号、レシート番号、メダルの種類、計数結果を含む情報がバーコード記録されている。レシート発行機番号とは、当該レシート６１、６２を発行するレシート発行機２００の号機番号である。レシート発行機番号の代わりに、当該レシート６１、６２を発行するレシート発行機２００に接続されているメダル計数機１００の号機番号を用いるようにしてもよい。
【００２７】
レシート発行機２００は、ターミナル・コントローラ４００に接続されている。レシート発行機２００は、発行したレシートに関する情報（レシート発行年月日、レシート発行機番号、レシート番号、メダルの種類、計数結果等のレシート情報）をターミナル・コントローラ４００に送る。ターミナル・コントローラ４００は、レシート発行機２００から送られたきたレシート情報を記憶する。
【００２８】
レシート発行機２００によって発行されたレシートは、景品管理機（ＰＯＳ）３００が設置された景品カウンタに持ち込まれる。従業員は、持ち込まれたレシートに記録されている計数結果等のレシート情報を景品管理機３００に読み取らせる。景品管理機３００によって読み取られた計数結果等のレシート情報に基づいて、景品交換が行なわれる。なお、景品管理機３００は、ターミナル・コントローラ４００に接続されている。
【００２９】
〔２〕メダル計数機１００の機構
図３は、メダル計数機１００を正面右側から見た斜視図である。
【００３０】
メダル計数機１００は、その筐体をなす本体ケーシング２を備えている。本体ケーシング２は、幅広のボックス形状である。本体ケーシング２の天面において、手前側には、２つの投入口３が左右に並んで形成されており、奥側には、表示操作パネル４が設けられている。
【００３１】
各投入口３の周縁には、下向きに狭くなる略筒状のホッパ５の上端が連設されている。ホッパ５の下端は開口されており、本体ケーシング２の内部に臨んでいる。
【００３２】
表示操作パネル４は、たとえば、タッチパネル付きの液晶表示器から構成されており、表示操作パネル４には、メダル計数機１００の動作状況が表示されたり、メダル計数機１００を操作するためのボタンが表示されたりする。
【００３３】
メダル計数機１００は、本体ケーシング２内において、各投入口３の下方（厳密には各投入口３に対応するホッパ５の下方）に、計数ユニット６を備えている。つまり、このメダル計数機１００には、２つの計数ユニット６が設けられている。
【００３４】
なお、この実施例で示したメダル計数機１００は、処理を迅速に行うために投入口３および計数ユニット６が２つ備えられたいわゆるツインタイプとしたが、投入口３および計数ユニット６がそれぞれ１つのシングルタイプのものであってもよい。
【００３５】
遊技客が獲得したメダルは、いずれかの投入口３に投入されると、ホッパ５によって計数ユニット６に導かれる。計数ユニット６は、後述するように、導かれたメダルの枚数をメダルの種類毎に数える。計数後のメダルは、本体ケーシング２の後方から機外の貯留タンク等に排出される。
【００３６】
なお、ゴミや硬貨等の異物が誤って投入口３に投入された場合には、これらの異物は、計数ユニット６にてメダルから分離された後、本体ケーシング２の正面の下端で引き出し可能に設けられたリジェクトボックス７に排出される。
【００３７】
図４は、１つの計数ユニット６を正面右側から見た斜視図である。
図４に示すように、計数ユニット６は、上下方向に薄い平板状のベース１０を備えている。ベース１０の上面は、水平面である。
【００３８】
そして、計数ユニット６は、ベース１０上に、ホッパ５によって導かれたメダルを１枚ずつ分離して繰り出す繰出機構１１と、１枚ずつ繰り出されたメダルを本体ケーシング２の後方へ向けて搬送する搬送機構１２と、搬送機構１２によって搬送されるメダルの種類を１枚毎に判別する判別機構１３とを備えている。
【００３９】
繰出機構１１は、回転円板１４と、第１モータ１５と、ガイド壁１６と、ゲート１７と、第２モータ１８とを備えている。
【００４０】
回転円板１４は、上下方向に延びる中心軸を有しており、ベース１０によって回転自在に支持されている。回転円板１４の上面は、水平面である。回転円板１４の上面における円中心位置には、上向きに突出するガイドキャップ１９が一体的に設けられている。ガイドキャップ１９およびガイドキャップ１９周辺における回転円板１４の上面は、ホッパ５の下端から投入口３を介して上方へ露出されている（図３参照）。
【００４１】
第１モータ１５は、回転円板１４の後側において、ベース１０の上面に取り付けられている。第１モータ１５が発生する駆動力は、ベルト等を介して回転円板１４に伝達され、これにより、回転円板１４は、所定の方向（詳しくは平面視における時計回りの方向であり、図示した太い実線矢印参照）へ回転する。
【００４２】
ガイド壁１６は、回転円板１４と同心の略環状をなしており、回転円板１４の外周縁に沿って回転円板１４を径方向外側から取り囲むように、ベース１０の上面から上向きに延びている。ガイド壁１６の周方向における１箇所（詳しくは左後側部分）は、完全に切断されるように切り欠かれており、切欠き部分２０とされる。ここで、ガイド壁１６において、切欠き部分２０を後側から区画する部分を第１部１６Ａとし、切欠き部分２０を前側から区画する部分を第２部１６Ｂとする。
【００４３】
ガイド壁１６は、周方向における複数の箇所において、ねじ２１によってベース１０の上面に固定されている。しかし、上述した第２部１６Ｂは、ベース１０に固定されておらず、ベース１０の上面に対して、上下に移動することができる。
【００４４】
ゲート１７は、切欠き部分２０においてガイド壁１６の周方向に対する接線方向（詳しくは前後方向）に延びる平板である。ゲート１７は、上述した接線方向に長手であり、切欠き部分２０をガイド壁１６の径方向外側からほぼ塞ぐ閉塞部１７Ａと、閉塞部１７Ａから前方へ延びる延設部１７Ｂとを一体的に備えている。
【００４５】
閉塞部１７Ａでは、後端部が、ねじ２２によってガイド壁１６の第１部１６Ａに固定され、前端部が、ねじ２３によってガイド壁１６の第２部１６Ｂに固定されている。なお、延設部１７Ｂの後端部も、ねじ２３によってガイド壁１６の第２部１６Ｂに固定されている。
【００４６】
ここで、閉塞部１７Ａの下端縁は、水平方向に平坦である。そして、閉塞部１７Ａの下端縁は、回転円板１４の上面においてガイド壁１６の切欠き部分２０に一致する部分に対して、僅か上方から対向している。詳しくは、閉塞部１７Ａの下端縁と回転円板１４の上面との間には、隙間Ｘが確保されている。図４に示す常態では（このときのゲート１７の位置を常態位置とする。）、隙間Ｘの上下方向における寸法は、メダル１枚の厚さより大きくかつメダル２枚分の厚さより小さい大きさであり、隙間Ｘの水平方向における寸法（ガイド壁１６における第１部１６Ａと第２部１６Ｂとの間隔）は、メダルの直径よりも大きい。上述したように、このメダル計数機１００では、φ２５メダルとφ３０メダルとが計数可能であるので、隙間Ｘの水平方向における寸法は、３０ｍｍより大きい。
【００４７】
第２モータ１８は、ゲート１７の延設部１７Ｂの左側において、ベース１０の上面に取り付けられている。第２モータ１８の出力軸（ギヤ機構を経た出力軸）１８Ａには、カム２４が取り付けられており、カム２４は、第２モータ１８が駆動されると、偏心回転する。
【００４８】
ここで、延設部１７Ｂの前端縁には、後側へ略Ｕ字状に窪む窪み２５が形成されており、窪み２５に、上述したカム２４が嵌め込まれている。ゲート１７が常態位置にある状況でカム２４が所定量（たとえば１８０°）だけ偏心回転すると、カム２４が、延設部１７Ｂにおいて窪み２５を上から縁取る部分を押し上げる。これにより、ゲート１７全体が、延設部１７Ｂ側が閉塞部１７Ａ側より高くなるように、ガイド壁１６の第１部１６Ａを支点として傾く（このときのゲート１７の位置を解除位置とする。）。これに伴い、ガイド壁１６の第２部１６Ｂが持ち上がり、また、上述した隙間Ｘが、ゲート１７が常態位置にあるときよりも上方ヘ僅かに広がる。なお、カム２４が、前記所定量だけ逆回転すると、ゲート１７は解除位置から常態位置に戻る。
【００４９】
このように、ゲート１７を常態位置から解除位置へ移動させることによって、隙間Ｘを上方へ広げることができる。
【００５０】
図５は、搬送機構１２および判別機構１３が見える位置における計数ユニット６の要部平面図である。
【００５１】
図５に示すように、搬送機構１２は、搬送路３０と、１対の側壁３１と、搬送路３０を前方から後方へとメダルを搬送するために搬送路３０の上に配置されている２つのプーリ３２および搬送ベルト３３とを備えている。なお、説明の便宜上、プーリ３２および搬送ベルト３３は、点線で示している（プーリ３２および搬送ベルト３３については、図４も参照）。
【００５２】
搬送路３０は、ベース１０の上面に設けられた水平面である。搬送路３０は、回転円板１４におけるガイド壁１６の切欠き部分２０（換言すれば上述した隙間Ｘ）の近傍を始点として本体ケーシング２の後方（図５では上方）へ向かって延びている。搬送路３０は、回転円板１４の上面と面一となっている。搬送路３０では、前後方向における途中部分が、右側へ湾曲しており、湾曲部分３０Ａとされる。湾曲部分３０Ａには、前後方向に長いリジェクト穴３４が形成されている。リジェクト穴３４は、紙面下方へ開口していて、上述したリジェクトボックス７（図３参照）につながっている。リジェクト穴３４の左右方向寸法は、２５ｍｍよりも小さい。
【００５３】
１対の側壁３１は、ベース１０の上面から立設されており、搬送路３０の左右方向を区画している。詳しくは、右側の側壁３１Ａは、搬送路３０の右端に沿いつつ、本体ケーシング２の後方へ向かって延びている。左側の側壁３１Ｂは、搬送路３０の左端に沿いつつ、本体ケーシング２の後方へ向かって延びている。１対の側壁３１は、ともに、搬送路３０の湾曲部分３０Ａでは、湾曲部分３０Ａに沿って右側へ湾曲している。
【００５４】
１対の側壁３１は、上述したように搬送路３０の左右方向を区画していることから、搬送路３０の幅を規定している。搬送路３０の幅（１対の側壁３１の間隔）は、前端部を除く前後方向における全域に亘って、約３０ｍｍで一定となっている。つまり、搬送路３０は、その幅を約３０ｍｍに保ちつつ後方へ延び、湾曲部分３０Ａにおいても、その幅を約３０ｍｍに保ったまま右側へ湾曲している。
【００５５】
２つのプーリ３２は、回転軸が水平に左右を向いており、搬送路３０の上方において、前後方向に互いに間隔を隔てた状態で回転自在に配置されている。詳しくは、前側のプーリ３２Ａは、搬送路３０の前端部の上方に配置されている。後側のプーリ３２Ｂは、搬送路３０の後端部の上方に配置されている。プーリ３２Ｂは、上述した第１モータ１５（図４参照）の出力軸に連結されている。
【００５６】
搬送ベルト３３は、所定の張力で２つのプーリ３２間に掛け回されている。搬送ベルト３３において、プーリ３２Ａの下端とプーリ３２Ｂの下端とを繋ぐ部分は、下側部分３３Ａとされる（図４も参照）。下側部分３３Ａは、後方へ向かって直線的に延びつつ、水平方向に平坦となっており、搬送路３０に対して上方から対向している。詳しくは、下側部分３３Ａは、後方へ向かって搬送路３０に対して右側へ寄った（偏向した）状態で配置されている。つまり、下側部分３３Ａは、搬送路３０の前端部（上流側）では搬送路３０の幅方向略中央または左寄りにあり、搬送路３０の後端部（下流側）では右寄りにあるので、下側部分３３Ａの長さ方向は、搬送路３０の長さ方向に対して、右側へ向かってやや傾いている。
【００５７】
ここで、第１モータ１５（図４参照）が駆動されると、その駆動力がプーリ３２Ｂを介して搬送ベルト３３に伝達され、搬送ベルト３３は、下側部分３３Ａが常に後方へ移動するように、２つのプーリ３２間を周回移動する。
【００５８】
判別機構１３は、搬送路３０の後端部（詳しくは、湾曲部分３０Ａよりも後方）に設けられており、１対のセンサ３５を含んでいる。１対のセンサ３５のうち、一方のセンサは、右側の側壁３１Ａに支持されて搬送路３０内に臨む磁気センサ３５Ａであり、他方のセンサは、左側の側壁３１Ｂに支持されて搬送路３０内に臨む光電センサ３５Ｂである。ここで、上述したように後方へ向かって搬送路３０に対して右側へ寄っている搬送ベルト３３の下側部分３３Ａは、搬送路３０の後端部では、磁気センサ３５Ａ側に寄っている。
【００５９】
磁気センサ３５Ａは、物体が通過するとき物体の右端部分を検出し、パルス信号を出力する。同様に、光電センサ３５Ｂも、物体が通過するとき物体の左端部分を検出して、パルス信号を出力する。ここで、磁気センサ３５Ａが出力するパルスを第１パルスとし、光電センサ３５Ｂが出力するパルスを第２パルスという。
【００６０】
磁気センサ３５Ａおよび光電センサ３５Ｂは、それぞれ、本体ケーシング２に内蔵されたマイクロコンピュータを含む制御部１１０（図６参照）に対して電気的に接続されており、第１パルスおよび第２パルスは、出力される度に制御部１１０に送られる。
【００６１】
次に、このメダル計数機１００によるメダル計数処理について説明する。
【００６２】
まず、図３を参照して、遊技客が獲得したメダルが、上述したようにいずれかの投入口３に投入される。投入されたメダルは、ホッパ５で導かれることによって、対応する計数ユニット６に上から降り注がれ、回転円板１４の上面における円中心部分周辺に落下する。ここで、上述したように回転円板１４の上面における円中心位置にはガイドキャップ１９が設けられていることから、メダルは、回転円板１４の上面において、円中心位置以外の領域に落下する。
【００６３】
その後、表示操作パネル４に表示されたボタン（図示せず）が押されることによって、メダル計数機１００によるメダル計数処理が開始され、図４を参照して、回転円板１４が、所定の方向（平面視における時計回りの方向であり、図示した太い実線矢印参照）へ回転する。
【００６４】
回転円板１４が所定の方向へ回転することによって、回転円板１４上のメダルには遠心力が作用し、回転円板１４上のメダルは、回転円板１４の外周縁（換言すればガイド壁１６の内周面）へ向かって移動する。なお、上述したように回転円板１４の上面における円中心位置にガイドキャップ１９が設けられていることから、遠心力が作用せずに回転円板１４の円中心位置に留まり続けるメダルはない。
【００６５】
ガイド壁１６の内周面まで到達したメダルは、ガイド壁１６の内周面に接触することによって、回転円板１４の径方向外側へそれ以上移動できないが、引き続き回転円板１４が回転していることから、ガイド壁１６の内周面に沿って１枚ずつ並びつつ、ガイド壁１６の内周面に接触しながら回転円板１４とともに回転する。
【００６６】
このようにガイド壁１６の内周面に接触しながら回転円板１４とともに回転するメダルのうち、上述した隙間Ｘに到達したメダルは、上述した遠心力によって、隙間Ｘから回転円板１４の外側へ弾き出され、図５に示す搬送路３０の前端部に受け渡される。ここで、隙間Ｘを区画するゲート１７が上述した常態位置にあるので（図４参照）、隙間Ｘの上下方向における寸法は、メダル１枚の厚さより大きくかつメダル２枚分の厚さより小さい大きさであり、隙間Ｘに到達したメダルは、１枚ずつ隙間Ｘを通過して搬送路３０に受け渡される。なお、隙間Ｘでメダルが詰まった場合には、ゲート１７が常態位置から解除位置へ移動して隙間Ｘが広げられた後、回転円板１４が逆転することによって、隙間Ｘのメダルが回転円板１４側へ回収される。
【００６７】
搬送路３０の前端部に受け渡されたメダルは、搬送路３０と搬送ベルト３３の下側部分３３Ａとによって上下から挟まれ、周回移動する搬送ベルト３３の下側部分３３Ａによって、搬送路３０を後方へ搬送される。
【００６８】
ここで、上述したように、搬送路３０では、前後方向における途中の湾曲部分３０Ａが、右側へ湾曲している。そのため、搬送路３０を後方へ搬送されるメダルは、湾曲部分３０Ａの手前までは、後方へ向かってまっすぐ搬送されるものの、湾曲部分３０Ａでは右側へ迂回しながら後方へ向かい、湾曲部分３０Ａより後では、後方へ向かって再度まっすぐ搬送される。
【００６９】
そして、上述したように搬送ベルト３３の下側部分３３Ａが、後方へ向かって搬送路３０に対して右側へ寄っているので、下側部分３３Ａによって搬送路３０を後方へ搬送されるメダルは、搬送路３０において、下側部分３３Ａの長さ方向、つまり、搬送路３０の右方向に偏向する方向へ搬送される。このため、メダルは、そのサイズにかかわらず、搬送路３０の右壁（右側の側壁３１Ａ）に沿って、側壁３１Ａにガイドされるように、搬送路３０を進む。
【００７０】
なお、メダルは、湾曲部分３０Ａで右側へ迂回することによって右側の側壁３１Ａへ積極的に接近することから、側壁３１Ａによるメダルのガイドが促進される。また、湾曲部分３０Ａに形成されたリジェクト穴３４の左右方向寸法は、上述したように２５ｍｍよりも小さいので、φ２５メダルおよびφ３０メダルは、リジェクト穴３４から落下することなく、湾曲部分３０Ａを通過して搬送路３０の後端部へ向かう。
【００７１】
上述したように、搬送路３０の幅（１対の側壁３１の間隔）は、前後方向における全域に亘って約３０ｍｍで一定であるので、φ３０メダルが搬送路３０を搬送される場合、φ３０メダルは、１対の側壁３１で左右からガイドされるように、左右の側壁３１に触れながら、搬送路３０を後方へ進む。厳密には、上述したように搬送路３０を通過するメダルは、右側の側壁３１Ａに沿って搬送されるので、φ３０メダルと左側の側壁３１Ｂとの間には、僅かな隙間があり得る。
【００７２】
そして、搬送路３０の後端部に到達したφ３０メダル５２（図５において実線で示している。）は、右側の側壁３１Ａに支持された磁気センサ３５Ａ、および、左側の側壁３１Ｂに支持された光電センサ３５Ｂにより、左端部および右端部がそれぞれ検出される。そのため、搬送路３０の後端部にφ３０メダルが１枚到達する度に、磁気センサ３５Ａが第１パルスを１つ出力し、かつ、光電センサ３５Ｂが第２パルスを１つ出力する。上述した制御部１１０は、第１パルスおよび第２パルスの両方がほぼ同時に送られてくる度に、φ３０メダルを１枚カウントする。
【００７３】
これに対し、φ２５メダルが搬送路３０を搬送される場合、φ２５メダルは、左右に５ｍｍ程度移動できる状態で、後方へ搬送されるが、上述したように、右側の側壁３１Ａに沿って搬送される。また、φ２５メダルを搬送する搬送ベルト３３の下側部分３３Ａは、上述したように、搬送路３０の後端部では、磁気センサ３５Ａ側に寄っている。そのため、φ２５メダルは、搬送ベルト３３の下側部分３３Ａによって、磁気センサ３５Ａ側に向かうように、搬送路３０の後端部へ搬送される。
【００７４】
搬送路３０の後端部に到達したφ２５メダル５１（図５において破線で示している。）は、その径が搬送路３０の幅より小さいので、右側の側壁３１Ａに接触している一方で左側の側壁３１Ｂから離れている（約５ｍｍ間隔があいている）ので、左側の側壁３１Ｂに支持された磁気センサ３５Ｂは、φ２５メダルの左端部を検出することができない。そのため、搬送路３０の後端部にφ２５メダルが１枚到達する度に、磁気センサ３５Ａだけが第１パルスを出力する。上述した制御部１１０は、第１パルスだけが送られてくる度に、φ２５メダルを１枚カウントする。
【００７５】
このようにして、φ３０メダルが搬送路３０の後端部に到達して第１パルスおよび第２パルスの両方がほぼ同時に制御部１１０に送られ、それをカウントした回数の合計が、投入口３に投入されたφ３０メダルの枚数となる。また、φ２５メダルが搬送路３０の後端部に到達して第１パルスだけが制御部１１０に送られ、それをカウントした回数の合計が、投入口３に投入されたφ２５メダルの枚数となる。φ２５メダルおよびφ３０メダルのそれぞれの枚数情報は、表示操作パネル４に表示されたり、外部機器へ出力されたりするが、詳細については、以降で詳説する。
【００７６】
なお、搬送路３０の後端部に到達したメダルは、その後、上述したように、本体ケーシング２の後方から機外の貯留タンク等に排出される。また、φ２５メダルより小さいゴミや硬貨等の異物が搬送路３０を搬送された場合、この異物は、リジェクト穴３４から落下して、上述したリジェクトボックス７（図３参照）に排出される。  
【００７７】
〔３〕メダル計数機１００の電気的構成
図６は、メダル計数機１００の電気的構成を示している。
【００７８】
メダル計数機１００は、制御部１１０を備えている。制御部１１０には、計数ユニット６内の第１モータ１５、第２モータ１８、第１センサ３５Ａおよび第２センサ３５Ｂが接続されている。さらに、制御部１１０には、表示部１１１、操作部１１２、レシート発行機接続用Ｉ／Ｆ１１３が接続されている。この例では、表示部１１１は表示操作パネル４に用いられている液晶表示器であり、操作部１１２は表示操作パネル４に用いられているタッチパネルである。レシート発行機接続用Ｉ／Ｆ１１３には、レシート発行機２００が接続されている。なお、メダル計数機１００には、計数ユニット６が２つ設けられているが、図６では一方の計数ユニット６のみが示されている。
【００７９】
〔４〕レシート発行機２００の電気的構成
図７は、レシート発行機２００の電気的構成を示している。
【００８０】
レシート発行機２００は、制御部２１０を備えている。制御部２１０には、レシート発行部２１１、表示部２１２、操作部２１３、メダル計数機接続用Ｉ／Ｆ２１４、Ｔ／Ｃ接続用Ｉ／Ｆ２１５等が接続されている。レシート発行部２１１内には、図示しないが、レシートに文字やバーコードを印刷するための印刷部、レシートを搬送するための駆動装置が含まれている。メダル計数機接続用Ｉ／Ｆ２１４には、メダル計数機１００が接続されている。Ｔ／Ｃ接続用Ｉ／Ｆ２１５には、ターミナル・コントローラ４００が接続されている。
【００８１】
なお、レシート発行機２００から発行されたレシートが抜き取られたことを検知するためのレシート抜取検知センサをレシート発行機２００に設けておく場合もある。その場合には、図７に示すように、レシート抜取検知センサ２１６は、制御部２１０に接続される。
【００８２】
〔５〕メダル計数機とレシート発行機の動作
〔５−１〕第１実施例
【００８３】
図８は、メダル計数機１００とレシート発行機２００の動作の第１実施例を示している。図９は、メダル計数機１００の表示操作パネル４（表示部１１１および操作部１１２）の表示例を示している。
【００８４】
メダル計数機１００は、常時は、計数待機状態にある。計数待機状態においては、表示操作パネル４には、図９に符号５０１で示すような”待機画面”が表示される。”待機画面”５０１には、「メダルを入れて下さい」の文字列と、計数開始ボタンが表示される。      
【００８５】
従業員は、メダルの計数を行いたい場合には、計数開始ボタンを押下げるとともに、メダルをメダル計数機１００に投入する。この例では、φ２５メダルとφ３０メダルとが混在した状態で、メダルがメダル計数機１００に投入されるものとする。
【００８６】
メダル計数機１００が計数待機状態にある場合において、計数開始ボタンが押下げられると、計数動作（混合計数）が開始される（図８のシーケンス番号〔１〕）。計数動作が開始されると、表示操作パネル４には、図９に符号５０２で示すような”計数開始画面”が表示される。”計数開始画面”５０２には、「混合メダル計数中」の文字列と、総数とが表示される。計数開始画面は計数動作が開始された直後に表示される画面であり、メダルがまだ計数されていないので、総数は０である。
【００８７】
メダルが計数され始めると、表示操作パネル４には、図９に符号５０３で示すような”計数終了前の総数表示画面”が表示される。”計数終了前の総数表示画面”５０３には、「混合メダル計数中」の文字列と、メダルの総数と、画面切替ボタンとが表示される。メダル計数機１００は、φ２５メダルのメダル数とφ３０メダルのメダル数とをそれぞれ計数するが、”計数終了前の総数表示画面”には、それらを合算した枚数が表示される。
【００８８】
”計数終了前の総数表示画面”５０３が表示されている状態において、画面切替ボタンが押下げられると、図９に符号５０４で示すような”計数終了前の小メダル数表示画面”に画面が切り替えられる。”計数終了前の小メダル数表示画面”５０４には、「小さいメダル計数中」の文字列と、φ２５メダルのメダル数と、φ２５メダルのメダル数に対応する景品数および余り数と、画面切替ボタンが表示される。”計数終了前の小メダル数表示画面”に表示されるメダル数がφ２５メダルのメダル数であることを明示するために、「小さいメダル総数」の文字列が表示されている。
【００８９】
”計数終了前の小メダル数表示画面”５０４が表示されている状態において、画面切替ボタンが押下げられると、図９に符号５０５で示すような”計数終了前の大メダル数表示画面”に画面が切り替えられる。”計数終了前の大メダル数表示画面”５０５には、「大きいメダル計数中」の文字列と、φ３０メダルのメダル数と、φ３０メダルのメダル数に対応する景品数および余り数と、画面切替ボタンが表示される。”計数終了前の大メダル数表示画面”に表示されるメダル数がφ３０メダルのメダル数であることを明示するために、「大きいメダル総数」の文字列が表示されている。
【００９０】
”計数終了前の大メダル数表示画面”５０５が表示されている状態において、画面切替ボタンが押下げられると、”計数終了前の総数表示画面”５０３に画面が表示される。つまり、計数動作が終了していない状態においては、画面切替ボタンが押下げられる度に、”計数終了前の総数表示画面”５０３、”計数終了前の小メダル数表示画面”５０４および”計数終了前の大メダル数表示画面”５０５の３種類の画面間で画面が切り替えられる。
【００９１】
計数動作が終了すると（図８のシーケンス番号〔２〕）、メダル計数機１００は、予め定められた１種類目のメダル（例えば、φ２５メダル）の計数値をそのメダル種類を示す情報とともにレシート発行機２００に通知する（図８のシーケンス番号〔３〕）。これにより、レシート発行機２００は、１枚目のレシート発券可能状態となる（図８のシーケンス番号〔４〕）。  
【００９２】
計数動作が終了した場合には、表示操作パネル４には、図９に符号５０６で示すような”計数終了後の総数表示画面”が表示される。”計数終了後の総数表示画面”５０６には、「混合メダル計数完了」の文字列と、メダルの総数と、画面切替ボタンと、計数開始ボタンが表示される。
【００９３】
”計数終了後の総数表示画面”５０６が表示されている状態において、画面切替ボタンが押下げられた場合、または”計数終了後の総数表示画面”５０６が表示されてから予め設定された表示切替時間（この例では３秒）が経過した場合には、図９に符号５０７で示すような”計数終了後の小メダル数表示画面”に画面が切り替えられる。”計数終了後の小メダル数表示画面”５０７には、「小さいメダル計数完了」の文字列と、φ２５メダルのメダル数と、φ２５メダルのメダル数に対応する景品数および余り数と、画面切替ボタンと、計数開始ボタンが表示される。なお、上記表示切替時間（この例では３秒）は、任意に変更可能である。
【００９４】
”計数終了後の小メダル数表示画面”５０７が表示されている状態において、画面切替ボタンが押下げられた場合、または”計数終了後の小メダル数表示画面”５０７が表示されてから所定の表示切替時間（この例では３秒）が経過した場合には、図９に符号５０８で示すような”計数終了後の大メダル数表示画面”に画面が切り替えられる。”計数終了後の大メダル数表示画面”５０８には、「大きいメダル計数完了」の文字列と、φ３０メダルのメダル数と、φ３０メダルのメダル数に対応する景品数および余り数と、画面切替ボタンと、計数開始ボタンが表示される。
【００９５】
”計数終了後の大メダル数表示画面”５０８が表示されている状態において、画面切替ボタンが押下げられた場合、または”計数終了後の大メダル数表示画面”５０８が表示されてから所定の表示切替時間（この例では３秒）が経過した場合には、”計数終了後の総数表示画面”５０６に画面が切り替えられる。つまり、計数動作が終了した状態においては、画面切替ボタンが押下げられる度にまたは画面表示後に所定の表示切替時間（この例では３秒）が経過する度に、”計数終了後の総数表示画面”５０６、”計数終了後の小メダル数表示画面”５０７および”計数終了後の大メダル数表示画面”５０８の３種類の画面間で画面が切り替えられる。
【００９６】
レシート発行機２００が、１枚目のレシート発券可能状態となっている場合において（図８のシーケンス番号〔４〕）、レシート発行機２００の発券ボタンが押下げられると、レシート発行機２００は１枚目のレシートを発券する（図８のシーケンス番号〔５〕）。つまり、図８のシーケンス番号〔３〕においてメダル計数機１００から通知された上記１種類目のメダル（この例では、φ２５メダル）の計数値等の情報がレシートに印刷されて発行される。例えば、図２のレシート６１に示すようなレシートが発行される。
【００９７】
レシート発行機２００は、１枚目のレシートを発券すると、１枚目のレシートの発券が完了したことをメダル計数機１００に通知する（図８のシーケンス番号〔６〕）。この１枚目発券完了通知は、上記１種類目のメダル（この例では、φ２５メダル）の計数値をクリアするための指示（計数値クリア指示）としても用いられる。
【００９８】
メダル計数機１００は、レシート発行機２００からの１枚目発券完了通知（計数値クリア指示）を受信すると、図９に符号５０９で示すような”２枚目レシート発行促進画面”を、表示操作パネル４に表示する（図８のシーケンス番号〔７〕）とともに、予め定められた２種類目のメダル（この例では、φ３０メダル）の計数値をそのメダル種類を示す情報とともにレシート発行機２００に通知する（図８のシーケンス番号〔８〕）。これにより、レシート発行機２００は、２枚目のレシート発券可能状態となる（図８のシーケンス番号〔９〕）。
【００９９】
”２枚目レシート発行促進画面”５０９には、予め定められた２種類目のメダル（この例では、φ３０メダル）に対応する「大きいメダル計数完了」の文字列と、φ３０メダルのメダル数と、「２枚目レシートが残っています。発行機を確認してくたさい。」のメッセージが表示される。このような”２枚目レシート発行促進画面”５１０が表示されるため、従業員（または遊技客）は、１枚目のレシートが発券された場合でも、２枚目のレシートが発券されることを認識できるので、２枚目のレシートの発行操作（発券ボタンの押下げ操作）を忘れたり、２枚目のレシートを取り忘れたりするといったことが防止される。なお、２枚目レシートの発行操作を促すメッセージをレシート発行機２００の表示部２１２に表示させるようにしてもよい。
【０１００】
レシート発行機２００が、２枚目のレシート発券可能状態となっている場合において（図８のシーケンス番号〔９〕）、レシート発行機２００の発券ボタンが押下げられると、レシート発行機２００は２枚目のレシートを発券する（図８のシーケンス番号〔１０〕）。つまり、図８のシーケンス番号〔８〕においてメダル計数機１００から通知された上記２種類目のメダル（この例では、φ３０メダル）の計数値等の情報がレシートに印刷されて発行される。例えば、図２のレシート６２に示すようなレシートが発行される。
【０１０１】
レシート発行機２００は、２枚目のレシートを発券すると、２枚目のレシートの発券が完了したことをメダル計数機１００に通知する（図８のシーケンス番号〔１１〕）。この２枚目発券完了通知は、上記２種類目のメダル（この例では、φ３０メダル）の計数値をクリアするための指示（計数値クリア指示）としても用いられる。
【０１０２】
メダル計数機１００は、レシート発行機２００からの２枚目発券完了通知（計数値クリア指示）を受信すると、計数待機状態となる（図８のシーケンス番号〔１２〕）。この場合、表示操作パネル４には、図９に符号５０１で示すような”待機画面”が表示される。      
【０１０３】
なお、メダル計数機１００は、図８のシーケンス番号〔６〕の１枚目発券完了通知を受信してから、図８のシーケンス番号〔１２〕で計数待機状態になるまでは、計数動作を禁止する。
【０１０４】
〔５−２〕第２実施例
図１０は、メダル計数機１００とレシート発行機２００の動作の第２実施例を示している。
【０１０５】
メダル計数機１００が計数待機状態にある場合において、計数開始ボタンが押下げられると、計数動作（混合計数）が開始される（図１０のシーケンス番号〔１〕）。計数動作が終了すると（図１０のシーケンス番号〔２〕）、メダル計数機１００は、予め定められた１種類目のメダル（例えば、φ２５メダル）の計数値をそのメダル種類を示す情報とともにレシート発行機２００に通知するとともに（図１０のシーケンス番号〔３〕）、予め定められた２種類目のメダル（例えば、φ３０メダル）の計数値をそのメダル種類を示す情報とともにレシート発行機２００に通知する（図１０のシーケンス番号〔４〕）。
【０１０６】
これにより、レシート発行機２００は、レシート発券可能状態となる（図１０のシーケンス番号〔５〕）。レシート発行機２００が、レシート発券可能状態となっている場合において、レシート発行機２００の発券ボタンが押下げられると、レシート発行機２００は１枚目のレシートを発券する（図１０のシーケンス番号〔６〕）。つまり、図１０のシーケンス番号〔３〕においてメダル計数機１００から通知された上記１種類目のメダル（この例では、φ２５メダル）の計数値等の情報がレシートに印刷されて発行される。例えば、図２のレシート６１に示すようなレシートが発行される。
【０１０７】
レシート発行機２００は、１枚目のレシートを発券すると、１枚目のレシートの発券が完了したことをメダル計数機１００に通知する（図１０のシーケンス番号〔７〕）。この１枚目発券完了通知は、上記１種類目のメダル（この例では、φ２５メダル）の計数値をクリアするための指示（計数値クリア指示）としても用いられる。
【０１０８】
メダル計数機１００は、レシート発行機２００からの１枚目発券完了通知（計数値クリア指示）を受信すると、”２枚目レシート発行促進画面”（例えば、図９の画面５０９）を、表示操作パネル４に表示する（図１０のシーケンス番号〔８〕）。なお、２枚目レシートの発行操作を促すメッセージをレシート発行機２００の表示部２１２に表示させるようにしてもよい。
【０１０９】
レシート発行機２００は、１枚目のレシートを発券した後において（図１０のシーケンス番号〔６〕）、発券ボタンが押下げられると、２枚目のレシートを発券する（図１０のシーケンス番号〔９〕）。つまり、図１０のシーケンス番号〔４〕においてメダル計数機１００から通知された上記２種類目のメダル（この例では、φ３０メダル）の計数値等の情報がレシートに印刷されて発行される。例えば、図２のレシート６２に示すようなレシートが発行される。
【０１１０】
レシート発行機２００は、２枚目のレシートを発券すると、２枚目のレシートの発券が完了したことをメダル計数機１００に通知する（図１０のシーケンス番号〔１０〕）。この２枚目発券完了通知は、上記２種類目のメダル（この例では、φ３０メダル）の計数値をクリアするための指示（計数値クリア指示）としても用いられる。メダル計数機１００は、レシート発行機２００からの２枚目発券完了通知（計数値クリア指示）を受信すると、計数待機状態となる（図１０のシーケンス番号〔１１〕）。
【０１１１】
なお、メダル計数機１００は、図１０のシーケンス番号〔７〕の１枚目発券完了通知を受信してから、図１０のシーケンス番号〔１１〕で計数待機状態になるまでは、計数動作を禁止する。
【０１１２】
〔５−３〕第３実施例
図１１は、メダル計数機１００とレシート発行機２００の動作の第３実施例を示している。
【０１１３】
メダル計数機１００が計数待機状態にある場合において、計数開始ボタンが押下げられると、計数動作（混合計数）が開始される（図１１のシーケンス番号〔１〕）。計数動作が終了すると（図１１のシーケンス番号〔２〕）、メダル計数機１００は、φ２５メダルとφ３０メダルの２種類のメダル計数値のうちのいずれが大きいかを判別する（図１１のシーケンス番号〔３〕）。
【０１１４】
そして、計数値が大きい方（メダル枚数が多い方）のメダル種類の計数値を、そのメダル種類を示す情報とともにレシート発行機２００に通知する（図１１のシーケンス番号〔４〕）。これにより、レシート発行機２００は、１枚目のレシート発券可能状態となる（図１１のシーケンス番号〔５〕）。
【０１１５】
レシート発行機２００が、１枚目のレシート発券可能状態となっている場合において、レシート発行機２００の発券ボタンが押下げられると、レシート発行機２００は１枚目のレシートを発券する（図１１のシーケンス番号〔６〕）。つまり、図１１のシーケンス番号〔４〕においてメダル計数機１００から通知された、計数値が大きい方のメダル種類の計数値等の情報がレシートが印字されて発行される。例えば、図２のレシート６１に示すようなレシートが発行される。
【０１１６】
レシート発行機２００は、１枚目のレシートを発券すると、１枚目のレシートの発券が完了したことをメダル計数機１００に通知する（図１１のシーケンス番号〔７〕）。この１枚目発券完了通知は、計数値が大きい方のメダル種類の計数値をクリアするための指示（計数値クリア指示）としても用いられる。
【０１１７】
メダル計数機１００は、レシート発行機２００からの１枚目発券完了通知（計数値クリア指示）を受信すると、図９に符号５１０で示すような”２枚目レシート発行促進画面”を、表示操作パネル４に表示する（図１１のシーケンス番号〔８〕）とともに、計数値が小さい方のメダル種類の計数値をそのメダル種類を示す情報とともにレシート発行機２００に通知する（図１１のシーケンス番号〔９〕）。これにより、レシート発行機２００は、２枚目のレシート発券可能状態となる（図１１のシーケンス番号〔１０〕）。なお、２枚目レシートの発行操作を促すメッセージをレシート発行機２００の表示部２１２に表示させるようにしてもよい。
【０１１８】
レシート発行機２００が、２枚目のレシート発券可能状態となっている場合において（図１１のシーケンス番号〔１０〕）、レシート発行機２００の発券ボタンが押下げられると、レシート発行機２００は２枚目のレシートを発券する（図１１のシーケンス番号〔１１〕）。つまり、図１１のシーケンス番号〔９〕においてメダル計数機１００から通知された、計数値が小さい方のメダル種類の計数値等の情報がレシートに印刷されて発行される。例えば、図２のレシート６２に示すようなレシートが発行される。
【０１１９】
レシート発行機２００は、２枚目のレシートを発券すると、２枚目のレシートの発券が完了したことをメダル計数機１００に通知する（図１１のシーケンス番号〔１２〕）。この２枚目発券完了通知は、計数値が小さい方のメダル種類の計数値をクリアするための指示（計数値クリア指示）としても用いられる。
【０１２０】
メダル計数機１００は、レシート発行機２００からの２枚目発券完了通知（計数値クリア指示）を受信すると、計数待機状態となる（図１１のシーケンス番号〔１３〕）。なお、メダル計数機１００は、図１１のシーケンス番号〔７〕の１枚目発券完了通知を受信してから、図１１のシーケンス番号〔１３〕で計数待機状態になるまでは、計数動作を禁止する。
【０１２１】
〔５−４〕第４実施例
図１２は、メダル計数機１００とレシート発行機２００の動作の第４実施例を示している。
【０１２２】
メダル計数機１００が計数待機状態にある場合において、計数開始ボタンが押下げられると、計数動作（混合計数）が開始される（図１２のシーケンス番号〔１〕）。計数動作が終了すると（図１２のシーケンス番号〔２〕）、メダル計数機１００は、φ２５メダルとφ３０メダルの２種類のメダル計数値のうちのいずれが大きいかを判別する（図１２のシーケンス番号〔３〕）。
【０１２３】
そして、計数値が大きい方（メダル枚数が多い方）のメダル種類の計数値を、そのメダル種類を示す情報とともにレシート発行機２００に通知した後（図１２のシーケンス番号〔４〕）、計数値が小さい方（メダル枚数が少ない）のメダル種類の計数値を、そのメダル種類を示す情報とともにレシート発行機２００に通知する（図１２のシーケンス番号〔５〕）。これにより、レシート発行機２００は、レシート発券可能状態となる（図１２のシーケンス番号〔６〕）。
【０１２４】
レシート発行機２００が、レシート発券可能状態となっている場合において、レシート発行機２００の発券ボタンが押下げられると、レシート発行機２００は計数値の大きい方のメダル種類に対応する１枚目のレシートを発券する（図１２のシーケンス番号〔７〕）。つまり、図１２のシーケンス番号〔４〕においてメダル計数機１００から通知された、計数値が大きい方のメダル種類の計数値等の情報がレシートが印字されて発行される。例えば、図２のレシート６１に示すようなレシートが発行される。
【０１２５】
レシート発行機２００は、１枚目のレシートを発券すると、１枚目のレシートの発券が完了したことをメダル計数機１００に通知する（図１２のシーケンス番号〔８〕）。この１枚目発券完了通知は、計数値が大きい方のメダル種類の計数値をクリアするための指示（計数値クリア指示）としても用いられる。
【０１２６】
メダル計数機１００は、レシート発行機２００からの１枚目発券完了通知（計数値クリア指示）を受信すると、”２枚目レシート発行促進画面”（例えば、図９の画面５０９）を、表示操作パネル４に表示する（図１２のシーケンス番号〔９〕）。なお、２枚目レシートの発行操作を促すメッセージをレシート発行機２００の表示部２１２に表示させるようにしてもよい。
【０１２７】
レシート発行機２００は、１枚目のレシートを発券した後において（図１２のシーケンス番号〔７〕）、発券ボタンが押下げられると、計数値が小さい方のメダル種類に対応する２枚目のレシートを発券する（図１２のシーケンス番号〔１０〕）。つまり、図１２のシーケンス番号〔５〕においてメダル計数機１００から通知された、計数値が小さい方のメダル種類の計数値等の情報がレシートに印刷されて発行される。例えば、図２のレシート６２に示すようなレシートが発行される。
【０１２８】
レシート発行機２００は、２枚目のレシートを発券すると、２枚目のレシートの発券が完了したことをメダル計数機１００に通知する（図１２のシーケンス番号〔１１〕）。この２枚目発券完了通知は、計数値が小さい方のメダル種類の計数値をクリアするための指示（計数値クリア指示）としても用いられる。メダル計数機１００は、レシート発行機２００からの２枚目発券完了通知（計数値クリア指示）を受信すると、計数待機状態となる（図１２のシーケンス番号〔１２〕）。なお、メダル計数機１００は、図１２のシーケンス番号〔８〕の１枚目発券完了通知を受信してから、図１２のシーケンス番号〔１２〕で計数待機状態になるまでは、計数動作を禁止する。
【０１２９】
〔５−５〕第５実施例
図１３は、メダル計数機１００とレシート発行機２００の動作の第５実施例を示している。
【０１３０】
メダル計数機１００が計数待機状態にある場合において、計数開始ボタンが押下げられると、計数動作（混合計数）が開始される（図１３のシーケンス番号〔１〕）。計数動作が終了すると（図１３のシーケンス番号〔２〕）、メダル計数機１００は、予め定められた１種類目のメダル（例えば、φ２５メダル）の計数値をそのメダル種類を示す情報とともにレシート発行機２００に通知するとともに（図１３のシーケンス番号〔３〕）、予め定められた２種類目のメダル（例えば、φ３０メダル）の計数値をそのメダル種類を示す情報とともにレシート発行機２００に通知する（図１３のシーケンス番号〔４〕）。
【０１３１】
レシート発行機２００は、φ２５メダルとφ３０メダルの２種類のメダル計数値を受信すると、２種類のメダル計数値のうちのいずれが大きいかを判別する（図１３のシーケンス番号〔５〕）。この後、レシート発行機２００は、レシート発券可能状態となる（図１３のシーケンス番号〔６〕）。
【０１３２】
レシート発行機２００がレシート発券可能状態となっている場合において、レシート発行機２００の発券ボタンが押下げられると、レシート発行機２００は計数値が大きい方のメダル種類に対応する１枚目のレシートを発券する（図１３のシーケンス番号〔７〕）。つまり、図１３のシーケンス番号〔５〕において、計数値が大きいと判別したメダル種類の計数値等の情報がレシートに印刷されて発行される。例えば、図２のレシート６１に示すようなレシートが発行される。
【０１３３】
レシート発行機２００は、１枚目のレシートを発券すると、１枚目のレシートの発券が完了したことを、発券された１枚目のレシートに対応するメダル種類を表す情報とともにメダル計数機１００に通知する（図１３のシーケンス番号〔８〕）。この１枚目発券完了通知は、発券された１枚目のレシートに対応するメダル種類の計数値をクリアするための指示（計数値クリア指示）としても用いられる。
【０１３４】
メダル計数機１００は、レシート発行機２００からの１枚目発券完了通知（計数値クリア指示）を受信すると、”２枚目レシート発行促進画面”（例えば、図９の画面５０９）を、表示操作パネル４に表示する（図１３のシーケンス番号〔９〕）。なお、２枚目レシートの発行操作を促すメッセージをレシート発行機２００の表示部２１２に表示させるようにしてもよい。
【０１３５】
レシート発行機２００は、１枚目のレシートを発券した後において（図１３のシーケンス番号〔７〕）、発券ボタンが押下げられると、計数値が小さい方のメダル種類に対応する２枚目のレシートを発券する（図１３のシーケンス番号〔１０〕）。つまり、図１３のシーケンス番号〔５〕において、計数値が小さいと判別したメダル種類の計数値等の情報がレシートに印刷されて発行される。例えば、図２のレシート６２に示すようなレシートが発行される。
【０１３６】
レシート発行機２００は、２枚目のレシートを発券すると、２枚目のレシートの発券が完了したことを、発券された２枚目のレシートに対応するメダル種類を表す情報とともにメダル計数機１００に通知する（図１３のシーケンス番号〔１１〕）。この２枚目発券完了通知は、発券された２枚目のレシートに対応するメダル種類の計数値をクリアするための指示（計数値クリア指示）としても用いられる。メダル計数機１００は、レシート発行機２００からの２枚目発券完了通知（計数値クリア指示）を受信すると、計数待機状態となる（図１３のシーケンス番号〔１２〕）。なお、メダル計数機１００は、図１３のシーケンス番号〔８〕の１枚目発券完了通知を受信してから、図１３のシーケンス番号〔１２〕で計数待機状態になるまでは、計数動作を禁止する。
【０１３７】
〔５−６〕第６実施例
図１４は、メダル計数機１００とレシート発行機２００の動作の第６実施例を示している。
【０１３８】
第６実施例では、レシート発行機２００にレシートが抜き取られたことを検知するレシート抜取検知センサ２１９（図７参照）が設けられている。
【０１３９】
メダル計数機１００が計数待機状態にある場合において、計数開始ボタンが押下げられると、計数動作（混合計数）が開始される（図１４のシーケンス番号〔１〕）。計数動作が終了すると（図１４のシーケンス番号〔２〕）、メダル計数機１００は、予め定められた１種類目のメダル（例えば、φ２５メダル）の計数値をそのメダル種類を示す情報とともにレシート発行機２００に通知する（図１４のシーケンス番号〔３〕）。これにより、レシート発行機２００は、１枚目のレシート発券可能状態となる（図１４のシーケンス番号〔４〕）。
【０１４０】
１枚目のレシート発券可能状態となっている場合においてレシート発行機２００の発券ボタンが押下げられると、レシート発行機２００は１枚目のレシートを発券する（図１４のシーケンス番号〔５〕）。つまり、図１４のシーケンス番号〔３〕においてメダル計数機１００から通知された上記１種類目のメダル（この例では、φ２５メダル）の計数値等の情報がレシートに印刷されて発行される。例えば、図２のレシート６１に示すようなレシートが発行される。
【０１４１】
１枚目のレシートが発券された後、従業員または遊技客によって当該レシートが抜き取られ、そのことがレシート抜取センサ２１９によって検知されると（図１４のシーケンス番号〔６〕）、レシート発行機２００は、１枚目のレシートの発券が完了したことをメダル計数機１００に通知する（図１４のシーケンス番号〔７〕）。この１枚目発券完了通知は、上記１種類目のメダル（この例では、φ２５メダル）の計数値をクリアするための指示（計数値クリア指示）としても用いられる。
【０１４２】
メダル計数機１００は、レシート発行機２００からの１枚目発券完了通知（計数値クリア指示）を受信すると、予め定められた２種類目のメダル（この例では、φ３０メダル）の計数値をそのメダル種類を示す情報とともにレシート発行機２００に通知する（図１４のシーケンス番号〔８〕）。
【０１４３】
レシート発行機２００は、この通知を受信すると、１枚目のレシートは既に抜き取られているので、発券ボタンが押下げられるのを待つことなく、２枚目のレシートを発券する（図１４のシーケンス番号〔９〕）。つまり、図１４のシーケンス番号〔８〕においてメダル計数機１００から通知された上記２種類目のメダル（この例では、φ３０メダル）の計数値等の情報がレシートに印刷されて発行される。例えば、図２のレシート６１に示すようなレシートが発行される。
【０１４４】
２枚目のレシートが発券された後、従業員または遊技客によって当該レシートが抜き取られ、そのことがレシート抜取センサ２１９によって検知されると（図１４のシーケンス番号〔１０〕）、レシート発行機２００は、２枚目のレシートの発券が完了したことをメダル計数機１００に通知する（図１４のシーケンス番号〔１１〕）。この２枚目発券完了通知は、上記２種類目のメダル（この例では、φ３０メダル）の計数値をクリアするための指示（計数値クリア指示）としても用いられる。
【０１４５】
メダル計数機１００は、レシート発行機２００からの２枚目発券完了通知（計数値クリア指示）を受信すると、計数待機状態となる（図１４のシーケンス番号〔１２〕）。なお、メダル計数機１００は、図１４のシーケンス番号〔７〕の１枚目発券完了通知を受信してから、図１４のシーケンス番号〔１２〕で計数待機状態になるまでは、計数動作を禁止する。
【０１４６】
図１４のシーケンス番号〔７〕の通知（１枚目のレシートの発券が完了したことの通知）をメダル計数機１００が受信した場合には、メダル計数機１００は、この後（図１４のシーケンス番号〔９〕）において、レシート発行機２００から自動発券される２枚目のレシートを取り忘れない旨のメッセージを含む”２枚目レシート取り忘れ防止画面”を表示操作パネル４に表示させるようにしてもよい。
【０１４７】
また、第６実施例においても、第３実施例（図１１参照）のように、２種類のメダルのうち、計数値が大きい方のメダル種類に対応するレシートを最初に発行し、計数値が小さい方のメダル種類に対応するレシートを２番目に発行するようにしてもよい。
【０１４８】
第６実施例（図１４）では、レシート発行機２００は、１枚目のレシートが抜き取られたことがレシート抜取センサ２１９によって検知されたときに（図１４のシーケンス番号〔６〕）、１枚目発券完了通知をメダル計数機１００に通知しているが、１枚目のレシートを発券したときに（図１４のシーケンス番号〔５〕）、１枚目発券完了通知をメダル計数機１００に通知するようにしてもよい。
【０１４９】
〔５−７〕第７実施例
図１５は、メダル計数機１００とレシート発行機２００の動作の第７実施例を示している。
【０１５０】
第７実施例においても、第６実施例と同様に、レシート発行機２００にレシートが抜き取られたことを検知するレシート抜取検知センサ２１９（図７参照）が設けられている。      
【０１５１】
メダル計数機１００が計数待機状態にある場合において、計数開始ボタンが押下げられると、計数動作（混合計数）が開始される（図１５のシーケンス番号〔１〕）。計数動作が終了すると（図１５のシーケンス番号〔２〕）、メダル計数機１００は、予め定められた１種類目のメダル（例えば、φ２５メダル）の計数値をそのメダル種類を示す情報とともにレシート発行機２００に通知するとともに（図１５のシーケンス番号〔３〕）、予め定められた２種類目のメダル（例えば、φ３０メダル）の計数値をそのメダル種類を示す情報とともにレシート発行機２００に通知する（図１５のシーケンス番号〔４〕）。
【０１５２】
これにより、レシート発行機２００は、レシート発券可能状態となる（図１５のシーケンス番号〔５〕）。レシート発行機２００が、レシート発券可能状態となっている場合において、レシート発行機２００の発券ボタンが押下げられると、レシート発行機２００は１枚目のレシートを発券する（図１５のシーケンス番号〔６〕）。つまり、図１５のシーケンス番号〔３〕においてメダル計数機１００から通知された上記１種類目のメダル（この例では、φ２５メダル）の計数値等の情報がレシートに印刷されて発行される。例えば、図２のレシート６１に示すようなレシートが発行される。
【０１５３】
１枚目のレシートが発券された後、従業員または遊技客によって当該レシートが抜き取られ、そのことがレシート抜取センサ２１９によって検知されると（図１５のシーケンス番号〔７〕）、レシート発行機２００は、１枚目のレシートの発券が完了したことをメダル計数機１００に通知する（図１５のシーケンス番号〔８〕）とともに２枚目のレシートを発券する（図１５のシーケンス番号〔９〕）。つまり、図１５のシーケンス番号〔４〕においてメダル計数機１００から通知された上記２種類目のメダル（この例では、φ３０メダル）の計数値等の情報がレシートに印刷されて発行される。例えば、図２のレシート６１に示すようなレシートが発行される。
【０１５４】
なお、図１５のシーケンス番号〔８〕における１枚目発券完了通知は、上記１種類目のメダル（この例では、φ２５メダル）の計数値をクリアするための指示（計数値クリア指示）としても用いられる。
【０１５５】
２枚目のレシートが発券された後、従業員または遊技客によって当該レシートが抜き取られ、そのことがレシート抜取センサ２１９によって検知されると（図１５のシーケンス番号〔１０〕）、レシート発行機２００は、２枚目のレシートの発券が完了したことをメダル計数機１００に通知する（図１５のシーケンス番号〔１１〕）。この２枚目発券完了通知は、上記２種類目のメダル（この例では、φ３０メダル）の計数値をクリアするための指示（計数値クリア指示）としても用いられる。
【０１５６】
メダル計数機１００は、レシート発行機２００からの２枚目発券完了通知（計数値クリア指示）を受信すると、計数待機状態となる（図１５のシーケンス番号〔１２〕）。なお、メダル計数機１００は、図１５のシーケンス番号〔８〕の１枚目発券完了通知を受信してから、図１５のシーケンス番号〔１２〕で計数待機状態になるまでは、計数動作を禁止する。
【０１５７】
図１５のシーケンス番号〔８〕の通知（１枚目のレシートの発券が完了したことの通知）をメダル計数機１００が受信した場合には、メダル計数機１００は、この後（図１５のシーケンス番号〔９〕）において、レシート発行機２００から自動発券される２枚目のレシートを取り忘れない旨のメッセージを含む”２枚目レシート取り忘れ防止画面”を表示操作パネル４に表示させるようにしてもよい。
【０１５８】
また、第７実施例においても、第４実施例，５実施例（図１２，図１３参照）のように、２種類のメダルのうち、計数値が大きい方のメダル種類に対応するレシートを最初に発行し、計数値が小さい方のメダル種類に対応するレシートを２番目に発行するようにしてもよい。
【０１５９】
第７実施例（図１５）では、レシート発行機２００は、１枚目のレシートが抜き取られたことがレシート抜取センサ２１９によって検知されたときに（図１５のシーケンス番号〔７〕）、１枚目発券完了通知をメダル計数機１００に通知しているが、１枚目のレシートを発券したときに（図１５のシーケンス番号〔６〕）、１枚目発券完了通知をメダル計数機１００に通知するようにしてもよい。
【０１６０】
上記第１実施例〜第７実施例（図８，図１０〜図１５）において、１枚目発券完了通知がメダル計数機１００に通知される前（計数動作禁止前）に、追加で計数が行なわれた場合には、メダル計数機１００は、追加計数によって得られた計数値（追加計数値）をメダル種類毎にレシート発行機２００に通知する。この場合、レシート発行機２００は通知されたメダル種類毎の追加計数値を既に受信している対応するメダル種類の計数値に加算し、その加算結果に基づいてレシートを発行する。
【０１６１】
〔６〕第１変形例
上記第３実施例（図１１参照）、第４実施例（図１２参照）、第５実施例（図１３参照）では、２種類のメダルのうち、計数値が大きい方のメダル種類に対応するレシートを最初に発行し、計数値が小さい方のメダル種類に対応するレシートを２番目に発行しているが、メダル種類によって景品交換レートが異なる場合には、計数結果に応じた価値（計数値×景品交換レート）が高い方のメダル種類に対応するレシートを最初に発行し、計数結果に応じた価値が低い方のメダル種類に対応するレシートを２番目に発行するようにしてもよい。
【０１６２】
また、第６実施例または第７実施例においても、計数結果に応じた価値（計数値×景品交換レート）が高い方のメダル種類に対応するレシートを最初に発行し、計数結果に応じた価値が低い方のメダル種類に対応するレシートを２番目に発行するようにしてもよい。      
【０１６３】
〔７〕第２変形例
上記各実施例では、メダル計数機１００によって２種類のメダル（φ２５メダルとφ３０メダル）の混合計数が行なわれた場合には、レシート発行機２００からは２枚のシート（φ２５メダルに対応したレシートとφ３０メダルに対応したレシート）が発行される。      
【０１６４】
レシート発行機２００から発行された２枚のレシートのうちの一方のレシートの情報が景品管理機３００によって読み込まれた際に、当該レシートと同時に発行された他方のレシートが存在することを従業員に通知することができれば、他方のレシートを取り忘れている場合、そのことを遊技客に通知することが可能となる。このようなことを実現するための手法として第１手法と第２手法とがある。以下、第１手法および第２手法について説明する。
【０１６５】
〔７−１〕第１手法
図１および図１６を参照して、第１手法について説明する。
レシート発行機２００は、２種類のメダルに対応する２枚のレシートをそれぞれ発行する際には、それらの２枚のレシートを関連付ける情報（レシート関連付け情報）を、各レシートに記録する。
【０１６６】
例えば、図１６（ａ），（ｂ）に示すように、２枚のレシート６１，６２に跨がって割印のように、レシート関連付け情報を印字する。図１６（ａ）では、レシート関連付け情報としてＱＲコードが用いられ、図１６（ｂ）ではレシート関連付け情報としてユニークコード（１〜８の数字の列）が用いられている。
【０１６７】
図１６（ｃ）に示すように、各レシート６１，６２の下部に”１／２”，”２／２”というような、頁データと同様なレシート関連付け情報を印字するようにしてもよい。
【０１６８】
景品管理機２００では、レシートからバーコード記録されたレシート情報を読み取る際に、レシート関連付け情報を読み取り、当該レシートに関連付けられた他のレシートが存在すること等を表示する。
【０１６９】
〔７−２〕第２手法
図１および図１７を参照して、第２手法について説明する。
レシート発行機２００は、２種類のメダルに対応する２枚のレシート（例えば、図２に示すレシート６１，６２）をそれぞれ発行する際には、それらの２枚のレシートにバーコード記録されたレシート情報と、それらの２枚のレシートが１組として発行されたことを示す情報（２枚組発券情報）とを、ターミナル・コントローラ４００に通知する。
【０１７０】
ターミナル・コントローラ４００は、レシート発行機２００から２枚のレシートのレシート情報と２枚組発券情報とを受信した場合、それら２つのレシートに関するレシート情報を互いに関連付けて記憶する。
【０１７１】
景品管理機２００は、レシートからバーコード記録されたレシート情報を読み取った場合、読み取ったレシート情報からレシート画像を作成して表示部に表示させる。また、景品管理機２００は、読み取ったレシート情報を第１レシート情報としてターミナル・コントローラ４００に送ることにより、第１レシート情報に関連付けられている他の第２レシート情報が存在するか否かをターミナル・コントローラ４００に問い合わせる。
【０１７２】
ターミナル・コントローラ４００は、景品管理機２００からの第１レシート情報を受信すると、受信した第１レシート情報に関連付けられて記憶されている他の第２レシート情報が存在するか否かを調べ、受信した第１レシート情報に関連付けられて記憶されている他の第２レシート情報が存在する場合には、当該第２のレシート情報を第１レシート情報に関連付けられているレシート情報として景品管理機２００に通知する。
【０１７３】
景品管理機２００は、ターミナル・コントローラ４００から、第１レシート情報に関連付けられている第２レシート情報が送られてきた場合には、第２レシート情報からレシート画像を作成して表示部に表示させる。
【０１７４】
これにより、景品管理機２００の表示部には、図１７に示すように、第１レシート情報から作成されたレシート画像６１ａと、第２レシート情報から作成されたレシート画像６２ａが表示される。この際、第２レシート情報から作成されたレシート画像６２ａをグレーで表したり、白黒反転表示させる等により、第２レシート情報から作成されたレシート画像６２ａが景品管理機２００によって実際に読み込まれているレシートの画像ではないことを認識できるようにすることが好ましい。
【０１７５】
〔８〕その他
上記実施例では、直径の異なる複数種類のメダルに対して、メダル種類を判別してメダル種類毎にメダル枚数を計数し、メダル種類毎にレシートを発行するようなシステムについて説明したが、複数種類のメダルとしては、形状、模様、色、材質等が異なる複数種類のメダルであってもよい。また、複数種類のメダルとしては、直径、形状、模様、色、材質等は同じであるが、記録された機械的または電気的に読取可能な識別情報が異なる複数種類のメダルであってもよい。
【図面の簡単な説明】
【０１７６】
【図１】遊技施設内に設けられたメダル計数管理システムの構成を示すブロック図である。
【図２】２種類のメダルに対応したレシートの具体例を示す模式図である。
【図３】メダル計数機１００の外観を示す斜視図である。
【図４】１つの計数ユニット６の外観を示す斜視図である。
【図５】計数ユニット６の要部を示す平面図である。
【図６】メダル計数機１００の電気的構成を示すブロック図である。
【図７】レシート発行機２００の電気的構成を示すブロック図である。
【図８】メダル計数機１００とレシート発行機２００の動作の第１実施例を示すシーケンス図である。
【図９】メダル計数機１００の表示操作パネル４（表示部１１１および操作部１１２）の表示例を示す模式図である。
【図１０】メダル計数機１００とレシート発行機２００の動作の第２実施例を示すシーケンス図である。
【図１１】メダル計数機１００とレシート発行機２００の動作の第３実施例を示すシーケンス図である。
【図１２】メダル計数機１００とレシート発行機２００の動作の第４実施例を示すシーケンス図である。
【図１３】メダル計数機１００とレシート発行機２００の動作の第５実施例を示すシーケンス図である。
【図１４】メダル計数機１００とレシート発行機２００の動作の第６実施例を示すシーケンス図である。
【図１５】メダル計数機１００とレシート発行機２００の動作の第７実施例を示すシーケンス図である。
【図１６】２種類のメダルに対応する２枚のレシートを関連付けるために、これらのレシートに記録されるレシート関連付け情報の具体例を示す模式図である。
【図１７】景品管理機２００によって読み取られた第１レシート情報に関連して第２レシート情報がターミナル・コントローラ４００に記憶されている場合には、景品管理機２００は第１レシート情報から作成したレシート画像とターミナル・コントローラ４００から取得した第２レシート情報から作成したレシート画像とを表示することを示す模式図である。
【符号の説明】
【０１７７】
１００  メダル計数機
６  計数ユニット
１１０  制御部
１１１  表示部
１１２  操作部
２００  レシート発行機
２１０  制御部
２１１  レシート発行部
２１２  表示部
２１３  操作部
３００  景品管理機
４００  ターミナル・コントローラ
【図１】
2010104684.tif 000003
【図２】
2010104684.tif 000004
【図３】
2010104684.tif 000005
【図４】
2010104684.tif 000006
【図５】
2010104684.tif 000007
【図６】
2010104684.tif 000008
【図７】
2010104684.tif 000009
【図８】
2010104684.tif 000010
【図９】
2010104684.tif 000011
【図１０】
2010104684.tif 000012
【図１１】
2010104684.tif 000013
【図１２】
2010104684.tif 000014
【図１３】
2010104684.tif 000015
【図１４】
2010104684.tif 000016
【図１５】
2010104684.tif 000017
【図１６】
2010104684.tif 000018
【図１７】
2010104684.tif 000019